(57)【特許請求の範囲】
【請求項１】
エレベータ制御盤と、乗場に設けられ、利用者に操作される乗場操作盤と、昇降路に設けられ、高さ方向に延びた電波遮蔽ダクトと、前記エレベータ制御盤と前記乗場操作盤とに接続され、前記電波遮蔽ダクト内を通る通信ケーブルとを備え、前記エレベータ制御盤および前記乗場操作盤が前記通信ケーブルを用いて互いに有線通信を行うエレベータ装置を、前記電波遮蔽ダクト内を通る電波を用いて互いに無線通信を行う制御盤側通信装置および操作盤側通信装置を用いて、前記エレベータ制御盤および前記乗場操作盤が互いに無線通信を行うエレベータ装置にリニューアルするエレベータ装置の製造方法であって、
前記通信ケーブルを前記エレベータ制御盤および前記乗場操作盤から切り離すとともに、前記通信ケーブルを前記電波遮蔽ダクトから取り外す通信ケーブル取外工程と、
前記制御盤側通信装置を前記エレベータ制御盤に接続するとともに、前記制御盤側通信装置の通信アンテナを前記電波遮蔽ダクト内に配置する制御盤側通信装置設置工程と、
前記操作盤側通信装置を前記乗場操作盤に接続するとともに、前記操作盤側通信装置の通信アンテナを前記電波遮蔽ダクト内に配置する操作盤側通信装置設置工程と
を備えたことを特徴とするエレベータ装置の製造方法。
【発明の詳細な説明】
【技術分野】
【０００１】
この発明は、エレベータ制御盤と乗場操作盤とが互いに無線通信を行うエレベータ装置の製造方法に関する。
【背景技術】
【０００２】
従来、巻上機の動作を制御するエレベータ制御盤と、乗場に設けられ、利用者に操作される乗場操作盤と、エレベータ制御盤に接続された制御盤側通信装置と、乗場操作盤に接続された操作盤側通信装置とを備えたエレベータ装置が知られている。制御盤側通信装置は、昇降路に設けられた通信アンテナを有している。操作盤側通信装置は、昇降路に設けられた通信アンテナを有している。制御盤側通信装置および操作盤側通信装置は、昇降路内を通る電波を用いて互いに無線通信を行う。エレベータ制御盤および乗場操作盤は、制御盤側通信装置および操作盤側通信装置を用いて、互いに無線通信を行う（例えば、特許文献１参照）。
【先行技術文献】
【特許文献】
【０００３】
【特許文献１】特開平３−４６９７９号公報
【発明の概要】
【発明が解決しようとする課題】
【０００４】
しかしながら、機械室、昇降路および乗場には、エレベータ制御盤とかごとの間を接続する通信ケーブル等、エレベータ制御盤の制御に用いられる制御用機器が設置されており、制御盤側通信装置と操作盤側通信装置との間の無線通信に用いられる電波がノイズとなって制御用機器に影響してしまう。その結果、エレベータ制御盤の誤作動が発生してしまう恐れがあるという問題点があった。
【０００５】
この発明は、制御用機器に影響するノイズを低減させることができるエレベータ装置およびエレベータ装置の製造方法を提供するものである。
【課題を解決するための手段】
【０００６】
この発明に係るエレベータ装置は、エレベータ制御盤と、乗場に設けられ、利用者に操作される乗場操作盤と、昇降路に設けられ、高さ方向に延びた電波遮蔽ダクトと、前記電波遮蔽ダクト内に設けられた通信アンテナを有し、前記エレベータ制御盤に接続された制御盤側通信装置と、前記電波遮蔽ダクト内に設けられた通信アンテナを有し、前記乗場操作盤に接続され、前記制御盤側通信装置との間で前記電波遮蔽ダクト内を通る電波を用いて無線通信を行う操作盤側通信装置とを備え、前記エレベータ制御盤および前記乗場操作盤は、前記制御盤側通信装置および前記操作盤側通信装置を用いて互いに無線通信を行う。
【０００７】
この発明に係るエレベータ装置の製造方法は、エレベータ制御盤と、乗場に設けられ、利用者に操作される乗場操作盤と、昇降路に設けられ、高さ方向に延びた電波遮蔽ダクトと、前記エレベータ制御盤と前記乗場操作盤とに接続され、前記電波遮蔽ダクト内を通る通信ケーブルとを備え、前記エレベータ制御盤および前記乗場操作盤が前記通信ケーブルを用いて互いに有線通信を行うエレベータ装置を、前記電波遮蔽ダクト内を通る電波を用いて互いに無線通信を行う制御盤側通信装置および操作盤側通信装置を用いて、前記エレベータ制御盤および前記乗場操作盤が互いに無線通信を行うエレベータ装置にリニューアルするエレベータ装置の製造方法であって、前記通信ケーブルを前記エレベータ制御盤および前記乗場操作盤から切り離すとともに、前記通信ケーブルを前記電波遮蔽ダクトから取り外す通信ケーブル取外工程と、前記制御盤側通信装置を前記エレベータ制御盤に接続するとともに、前記制御盤側通信装置の通信アンテナを前記電波遮蔽ダクト内に配置する制御盤側通信装置設置工程と、前記操作盤側通信装置を前記乗場操作盤に接続するとともに、前記操作盤側通信装置の通信アンテナを前記電波遮蔽ダクト内に配置する操作盤側通信装置設置工程とを備えている。
【発明の効果】
【０００８】
この発明に係るエレベータ装置によれば、エレベータ制御盤および乗場操作盤は、電波遮蔽ダクト内を通る電波を用いて無線通信を行う制御盤側通信装置および操作盤側通信装置を用いて互いに無線通信を行うので、無線通信に用いられる電波が電波遮蔽ダクトの外側に出ることが抑制される。その結果、エレベータ制御盤の制御に用いられる制御用機器に影響するノイズを低減させることができる。
【０００９】
この発明に係るエレベータ装置の製造方法によれば、通信ケーブルをエレベータ制御盤および乗場操作盤から切り離すとともに、通信ケーブルを電波遮蔽ダクトから取り外す通信ケーブル取外工程と、制御盤側通信装置をエレベータ制御盤に接続するとともに、制御盤側通信装置の通信アンテナを電波遮蔽ダクト内に配置する制御盤側通信装置設置工程と、操作盤側通信装置を乗場操作盤に接続するとともに、操作盤側通信装置の通信アンテナを電波遮蔽ダクト内に配置する操作盤側通信装置設置工程とを備えているので、製造されたエレベータ装置は、無線通信に用いられる電波が電波遮蔽ダクトの外側に出ることを抑制することができる。その結果、エレベータ制御盤の制御に用いられる制御用機器に影響するノイズを低減させることができる。
【図面の簡単な説明】
【００１０】
【図１】この発明の実施の形態１に係るエレベータ装置を示す構成図である。
【図２】図１のエレベータ装置の要部を示す拡大図である。
【発明を実施するための形態】
【００１１】
実施の形態１．
図１はこの発明の実施の形態１に係るエレベータ装置を示す構成図である。図において、エレベータ装置は、巻上機１と、巻上機１の綱車に巻き掛けられたロープ２と、巻上機１から水平方向にずれて設けられ、ロープ２が巻き掛けられたそらせ車３と、ロープ２の一端部に接続されたかご４と、ロープ２の他端部に接続されたカウンタウエイト５と、巻上機１の動作を制御するエレベータ制御盤６とを備えている。かご４およびカウンタウエイト５は、エレベータ制御盤６の制御により巻上機１の綱車が回転することによって、昇降路１００を昇降する。
【００１２】
また、エレベータ装置は、かご４の上部に設けられたかご上ステーション４１と、かご４内に設けられたかご操作盤４２と、かご出入口を開閉するかごドア４３と、かごドア４３によりかご出入口が閉じられていることを検出するゲートスイッチ４４と、エレベータ制御盤６とかご４とに接続された通信ケーブル４５とを備えている。かご上ステーション４１、かご操作盤４２およびゲートスイッチ４４は、通信ケーブル４５を用いて、エレベータ制御盤６との間で通信を行う。
【００１３】
また、エレベータ装置は、昇降路１００の上部に設けられた上部終点スイッチ７と、昇降路１００の下部に設けられた下部終点スイッチ８とを備えている。また、エレベータ装置は、乗場９に設けられ乗場出入口を開閉する乗場ドア９１と、乗場ドア９１に設けられた乗場錠（図示せず）による乗場ドア９１の施錠を検出する乗場錠スイッチ９２とを備えている。上部終点スイッチ７、下部終点スイッチ８および乗場錠スイッチ９２のそれぞれは、図示しない通信ケーブルを経由して、エレベータ制御盤６との間で通信を行う。
【００１４】
かご上ステーション４１、かご操作盤４２、ゲートスイッチ４４、通信ケーブル４５、下部終点スイッチ８および乗場錠スイッチ９２は、エレベータ制御盤６の制御に用いられる制御用装置を構成する。
【００１５】
図２は図１のエレベータ装置の要部を示す拡大図である。また、エレベータ装置は、乗場９に設けられ利用者に操作される乗場操作盤９３と、昇降路１００に設けられ、高さ方向に延びた電波遮蔽ダクト１０と、エレベータ制御盤６に接続された制御盤側通信装置１１と、乗場操作盤９３に接続された操作盤側通信装置１２とを備えている。乗場操作盤９３および操作盤側通信装置１２は、バッテリ（図示せず）から電力が供給されるようになっている。なお、乗場操作盤９３および操作盤側通信装置１２は、バッテリに限らず、例えば、設置される階から電力が供給されてもよく、また、エレベータ制御盤６から電力が供給されてもよい。
【００１６】
制御盤側通信装置１１は、電波遮蔽ダクト１０内に設けられた通信アンテナ１１１を有している。操作盤側通信装置１２は、電波遮蔽ダクト１０内に設けられた通信アンテナ１２１を有している。制御盤側通信装置１１および操作盤側通信装置１２は、電波遮蔽ダクト１０内を通る電波を用いて無線通信を行う。電波遮蔽ダクト１０は、例えば、電波を遮蔽することができる鉄等の材料から構成されている。これにより、制御盤側通信装置１１と操作盤側通信装置１２との間で無線通信を行う際の電波が、電波遮蔽ダクト１０の外側に出ることが抑制される。これにより、例えば、制御盤側通信装置１１と操作盤側通信装置１２との間で無線通信を行う際の電波が、通信ケーブル４５等の制御用装置に影響することが抑制される。
【００１７】
次に、エレベータ装置の製造方法について説明する。この例では、エレベータ制御盤６と、電波遮蔽ダクト１０と、乗場操作盤９３と、エレベータ制御盤６と乗場操作盤９３とに接続され電波遮蔽ダクト１０内を通る旧通信ケーブル（図示せず）とを備え、エレベータ制御盤６および乗場操作盤９３がこの旧通信ケーブルを用いて互いに有線通信を行う旧エレベータ装置を、実施の形態１に係るエレベータ装置にリニューアルする方法について説明する。
【００１８】
まず、旧通信ケーブルをエレベータ制御盤６および乗場操作盤９３から切り離すとともに、旧通信ケーブルを電波遮蔽ダクト１０から取り外す（通信ケーブル取外工程）。このとき、電波遮蔽ダクト１０内に他の通信ケーブル、例えば、通信ケーブル４５等が設置されている場合には、他の通信ケーブルも電波遮蔽ダクト１０から取り外す。
【００１９】
その後、制御盤側通信装置１１をエレベータ制御盤６に接続するとともに、制御盤側通信装置１１の通信アンテナ１１１を電波遮蔽ダクト１０内に配置する（制御盤側通信装置設置工程）。
【００２０】
また、操作盤側通信装置１２を乗場操作盤９３に接続するとともに、操作盤側通信装置１２の通信アンテナ１２１を電波遮蔽ダクト１０内に配置する（操作盤側通信装置設置工程）。以上により、エレベータ装置の製造が終了する。
【００２１】
以上説明したように、この発明の実施の形態１に係るエレベータ装置によれば、エレベータ制御盤６および乗場操作盤９３は、電波遮蔽ダクト１０内を通る電波を用いて無線通信を行う制御盤側通信装置１１および操作盤側通信装置１２を用いて互いに無線通信を行うので、無線通信に用いられる電波が電波遮蔽ダクト１０の外側に出ることが抑制される。その結果、昇降路１００に設置された通信ケーブル４５等、エレベータ制御盤６の制御に用いられる制御用機器に影響するノイズを低減させることができる。また、制御用機器から放射される電波等、電波遮蔽ダクト１０の外側で放射された電波が、電波遮蔽ダクト１０により、電波遮蔽ダクト１０内に進入することが抑制されるので、電波遮蔽ダクト１０内を通る電波に影響するノイズを低減させることができる。その結果、エレベータ制御盤６と乗場操作盤９３との間の通信をより安定して行うことができる。
【００２２】
また、この発明の実施の形態１に係るエレベータ装置の製造方法によれば、旧通信ケーブルをエレベータ制御盤６および乗場操作盤９３から切り離すとともに、旧通信ケーブルを電波遮蔽ダクト１０から取り外す通信ケーブル取外工程と、制御盤側通信装置１１をエレベータ制御盤６に接続するとともに、制御盤側通信装置１１の通信アンテナ１１１を電波遮蔽ダクト１０に配置する制御盤側通信装置設置工程と、操作盤側通信装置１２を乗場操作盤９３に接続するとともに、操作盤側通信装置１２の通信アンテナ１２１を電波遮蔽ダクト１０に配置する操作盤側通信装置設置工程とを備えているので、製造されたエレベータ装置は、無線通信に用いられる電波が電波遮蔽ダクト１０の外側に出ることを抑制することができる。その結果、昇降路１００に設置された通信ケーブル４５等、エレベータ制御盤６の制御に用いられる制御用機器に影響するノイズを低減させることができる。また、既設の電波遮蔽ダクト１０が流用されるので、既設の電波遮蔽ダクト１０を昇降路１００から取り外す必要がなくなり、リニューアル作業の効率化を図ることができる。
【００２３】
なお、上記実施の形態１では、リニューアル前の電波遮蔽ダクト１０を流用したエレベータ装置について説明したが、新規の電波遮蔽ダクト１０を用いたエレベータ装置であってもよい。
【符号の説明】
【００２４】
１  巻上機、２  ロープ、３  そらせ車、４  かご、５  カウンタウエイト、６  エレベータ制御盤、７  上部終点スイッチ、８  下部終点スイッチ、９  乗場、１０  電波遮蔽ダクト、１１  制御盤側通信装置、１２  操作盤側通信装置、４１  かご上ステーション、４２  かご操作盤、４３  かごドア、４４  ゲートスイッチ、４５  通信ケーブル、９１  乗場ドア、９２  乗場錠スイッチ、９３  乗場操作盤、１００  昇降路、１１１  通信アンテナ、１２１  通信アンテナ。
【図１】
0005836849.tif 000002
【図２】
0005836849.tif 000003